(57)【特許請求の範囲】
【請求項１】
躯体の支持面に方立を連結する方立の支持構造であって、
前記方立の屋内側見付け面に対向する前記躯体の支持面に設けられた受け部と、
前記方立に設けられていて左右方向から前記受け部に挿入して係止する連結部材と、
を備え、
前記受け部は左右方向の幅が前記方立の屋内側見付け面の左右方向の幅より小さく、前記方立の屋内側見付け面と前記躯体の支持面との間で前記連結部材が受け部に係止されていることを特徴とする方立の支持構造。
【請求項２】
躯体の支持面に方立を連結する方立の支持構造であって、
前記躯体の支持面に設けた受け部と、
前記方立に設けていて左右方向から前記受け部に挿入して係止する連結部材と、
を備え、
前記連結部材は、前記方立に取り付ける固定部と前記受け部に係止する係止部とを有する第一連結部材及び第二連結部材を有しており、
前記受け部は第一受け部と第二受け部を有しており、
前記第一連結部材は前記受け部の左右方向の一方側から第一受け部に挿入して係止させ、前記第二連結部材は前記受け部の左右方向の他方側から挿入して第二受け部に挿入して係止させるようにしたことを特徴とする方立の支持構造。
【請求項３】
前記受け部の第一受け部と第二受け部は、上下方向に連続して形成されている請求項２に記載された方立の支持構造。
【請求項４】
前記連結部材は、前記受け部に挿入される係止部に前記受け部に係止する突部を設けた請求項１から３のいずれか１項に記載された方立の支持構造。
【請求項５】
躯体の支持面に連結する方立であって、
前記躯体に設けた受け部に左右方向の一方から挿入して係止可能な第一連結部材と、
前記躯体に設けた受け部に左右方向の他方から挿入して係止可能な第二連結部材と、
を取り付けたことを特徴とする方立。
【発明の詳細な説明】
【技術分野】
【０００１】
本発明は、方立の保持強度を躯体で補強する方立の支持構造とこの支持構造に用いる方立に関する。
【背景技術】
【０００２】
従来、店舗等の建物の出入り口を有する前面に設けたフロントサッシ(店舗用建材)では、開閉可能なドアの隣に方立を介してフィックス（ＦＩＸ）窓が取り付けられ、フィックス窓に屋内を見通せるガラスパネルが収納されている。このようなフロントサッシは方立の両側にドアまたはフィックス窓を有しているものがあり、強度を補強するために方立を躯体等に連結する構成が提案されている。
【０００３】
例えば、特許文献１に記載された内壁枠への出入り枠の取り付け構造では、内壁枠に取り付ける出入枠の取り付け部分の強度を向上させるために、内壁枠の面に断面コの字状の連結金具を取り付けている。そして、出入り枠に固定した間柱を連結金具内に挟持させて止め具で固定することで、間柱と連結金具を介して出入り枠を内壁枠に固定し、出入り枠の強度を向上させている。
【先行技術文献】
【特許文献】
【０００４】
【特許文献１】特開平１１−８１５２７号公報
【発明の概要】
【発明が解決しようとする課題】
【０００５】
ところで、特許文献１記載の取り付け構造では、内壁枠に連結金具と間柱を連結することで出入り枠の強度を補強するが、断面コの字状の連結金具に出入り枠の間柱を挿入して止め具で固定するため、内壁枠と出入り枠との間で前後左右の取り付け位置の調整がほとんどできなかった。しかも、内壁枠の施工精度は出入り枠の施工精度より劣っていることが多く、この場合、間柱と一体に形成した出入り枠の施工精度が内壁枠の施工精度に左右されるという不具合があった。
【０００６】
本発明は、このような問題点に鑑みてなされたものであって、躯体の施工精度に関わらず、躯体に対する方立の取り付け位置を上下左右方向に調整して連結できるようにした方立の支持構造とこの支持構造に用いる方立を提供することを目的とする。
【課題を解決するための手段】
【０００７】
本発明による方立の支持構造は、躯体の支持面に方立を連結する方立の支持構造であって、前記方立の屋内側見付け面に対向する躯体の支持面に設けられた受け部と、方立に設けられていて左右方向から受け部に挿入して係止する連結部材と、を備え、前記受け部は左右方向の幅が前記方立の屋内側見付け面の左右方向の幅より小さく、前記方立の屋内側見付け面と前記躯体の支持面との間で前記連結部材が受け部に係止されていることを特徴とする。
本発明では、躯体の支持面において連結すべき方立に対向する位置に受け部を固定し、方立に設けた連結部材を左右方向（の少なくとも一方）から受け部に挿入して係止させることで、方立を躯体に固定して補強できると共に躯体に対する方立の左右方向の固定位置を連結部材の挿入量で調整できる。しかも躯体への受け部の取り付け高さや方立への連結部材の取り付け位置によって方立の固定位置を上下方向でも調整できる。
【０００８】
また、受け部は、受け部に係止可能な連結部材の高さ方向の幅より大きな高さ方向の幅の隙間を躯体の支持面との間に設けていてもよい。
この場合には、受け部に対する連結部材の係止高さを調整することができるので、躯体に対する方立の上下方向の高さ位置を受け部と連結部材の高さ方向の幅の範囲で調整できる。
【０００９】
また、本発明による方立の支持構造は、躯体の支持面に方立を連結する方立の支持構造であって、前記躯体の支持面に設けた受け部と、前記方立に設けていて左右方向から前記受け部に挿入して係止する連結部材と、を備え、連結部材は、方立に取り付ける固定部と受け部に係止する係止部とをそれぞれ有する第一連結部材及び第二連結部材を有しており、受け部は第一受け部と第二受け部を有しており、第一連結部材は受け部の一方側から第一受け部に挿入して係止させ、第二連結部材は受け部の他方側から挿入して第二受け部に挿入して係止させることを特徴とする。
本発明では、方立に固定する第一連結部材と第二連結部材を、受け部の左右方向両側から挿入して第一受け部と第二受け部にそれぞれ挿入して係止させることで、躯体に対する方立の保持強度が高く、地震等による捩じれを防いで、方立を躯体に強固に連結して補強できる。
【００１０】
また、受け部の第一受け部と第二受け部は、上下方向に連続して形成されているか、または個別に分離して配置されていてもよい。
受け部の第一受け部と第二受け部を上下方向に連続して形成して躯体に取り付けるか、或いは個別に分離して取り付けることができるため、第一及び第二連結部材の方立に対する取り付け位置の自由度が高い。
【００１１】
また、連結部材は、受け部に挿入される係止部に受け部に係止する突部を設けることが好ましい。
連結部材における受け部に挿入する係止部に突条や突起等の突部を設けることで、受け部と線接触または点接触することになり、微振動が生じたとしても異音の発生を防止できる。
【００１２】
本発明による方立は、躯体の支持面に連結する方立であって、躯体に設けた受け部に左右方向の一方から挿入して係止可能な第一連結部材と、受け部に左右方向の他方から挿入して係止可能な第二連結部材と、を取り付けたことを特徴とする。
本発明による方立は第一連結部材と第二連結部材を備えていて、躯体に設けた受け部に対して左右方向の一方と他方の両側から挿入して係止させるため、方立を高い強度で躯体に固定できる。
【発明の効果】
【００１３】
本発明による方立の支持構造とその方立は、躯体の支持面において方立に対向する位置に受け部を固定し、方立に設けた連結部材を左右方向から受け部に挿入して係止させることで、方立を躯体に固定して方立の支持強度を補強できる。しかも、躯体に対する受け部の上下方向の固定位置と受け部に対する連結部材の左右方向の固定位置をそれぞれ調整できるため、躯体の施工誤差があってもこれを吸収して高精度な方立の取り付けができる。
【図面の簡単な説明】
【００１４】
【図１】本発明の実施形態によるフロントサッシの要部正面図である。
【図２】図１に示す中間の方立と支柱との支持構造を示す縦断面図である。
【図３】図２示す中間の方立と支柱との支持構造を示す水平断面図である。
【図４】図３に示す中間の方立と支柱との支持構造を示す要部斜視図である。
【図５】支柱に設けた受け部を示す要部斜視図である。
【図６】支柱に設けた受け部に第一連結板を取り付けた状態の要部斜視図である。
【図７】支柱に設けた受け部に第二連結板を取り付ける工程を示す。
【図８】第一連結板と第二連結板の斜視図である。
【図９】本実施形態の第一変形例による方立の支持機構を示す要部分解図である。
【図１０】第二変形例による方立の支持機構を示す要部斜視図。
【発明を実施するための形態】
【００１５】
以下、本発明の実施形態による方立の支持構造について図１乃至図８を参照しながら説明する。
図１は実施形態による方立を備えた店舗等の前面に設けたフロントサッシ１を示すものである。フロントサッシ１は、上枠３と下枠４との間に方立５で仕切られた枠体内にガラス等のパネル６が納められたフィックス（ＦＩＸ）窓７として、例えばフィックス窓７Ａ、７Ｂ、７Ｃを備えており、フィックス窓７Ａの間に開口枠９が設置されている。
開口枠９は、中間横枠１０と下枠４と方立５とで仕切られた枠体であり、その中央部に例えば両開きの自動ドア１１が設けられ、その外側に方立５を介してフィックス窓７Ｂが設置されている。また、上枠３と中間横枠１０との間には欄間としてのフィックス窓７Ｃが設置されている。フィックス窓７Ｃに代えて、排煙窓を設置してもよい。
【００１６】
そして、図２及び図３に示すフィックス窓７Ａ、７Ｂの間に設けた実施形態による方立５の支持構造について説明する。フィックス窓７Ａ，７Ｂは、上枠３または中間横枠１０と下枠４と左右の縦枠を構成する方立５とで仕切られた枠体内にパネル６を収納している。パネル６は単層ガラスでもよいし、ペアガラス等の複層ガラスでもよい。下枠４には中空の下枠本体４ａが設けられている。また、上枠３の屋内側には上部額縁部１５がねじ１６によって連結されている。
【００１７】
図３に示すフィックス窓７Ａとフィックス窓７Ｂは方立５として、例えば中間の方立５Ａで仕切られ、各フィックス窓７Ａ，７Ｂの左右の外側端部には端部側の方立５Ｂが設置されている。中間の方立５Ａに対向する屋内側には躯体として例えば既設の支柱１７が設置されている。方立５Ａと支柱１７は支持機構２１によって連結されており、支柱１７が方立５Ａの強度を補強している。
なお、本明細書において、見付け方向または見付け面とはパネル６の配列方向をいい、見込み方向または見込み面とはパネル６に直交する奥行方向をいうものとする。
【００１８】
図２及び図３において、中間の方立５Ａは、第一方立部材１８と第二方立部材１９とで形成されている。第一方立部材１８は屋外側にフィックス窓７Ａにおけるパネル６の一方の端部を支持する第一呑込み部１８ａを有している。しかも、第一方立部材１８の第一呑込み部１８ａに、第一見込み面１８ｂと屋内側見付け面１８ｃとが接続されて形成されており、屋内側見付け面１８ｃは方立５Ａの屋内側の見付け面の全体を構成している。
【００１９】
また、第二方立部材１９は屋外側にフィックス窓７Ｂにおけるパネル６の一方の端部を支持する第二呑込み部１９ａを有している。しかも、第二方立部材１９の第二呑込み部１９ａに、第一見込み面１８ｂに対向する第二見込み面１９ｂが接続されて屈曲形状に形成されている。
第一方立部材１８の屋内側見付け面１８ｃは第一呑込み部１８ａの底部よりも外側即ち第二方立部材１９側（図３において、右側）に突出している。また、第一方立部材１８の第一呑込み部１８ａはそのパネル溝の深さが第二方立部材１９の第二呑込み部１９ａよりも深く設定されている。
【００２０】
方立５Ａを形成する第一方立部材１８と第二方立部材１９は断面略コの字状の第一呑込み部１８ａと第二呑込み部１９ａの互いに対向する底部同士を連結ねじ２４によって連結している。
しかも、本実施形態では、第一方立部材１８と第二方立部材１９の間に方立補強材２３が設置されている。方立補強材２３は、第一方立部材１８の第一呑込み部１８ａの底部と側部、第一見込み面１８ｂ、屋内側見付け面１８ｃに沿った屈曲形状を形成しており、その基端部が第一及び第二呑込み部１８ａ，１９ａの底部の間に介在して連結ねじ２４で一体に固定されることで方立５Ａの強度を補強している。
【００２１】
なお、方立補強材２３は、上述の構成に代えて、第二方立部材１９における第二呑込み部１９ａの底部と側部、第二見込み面１９ｂ、そして第一方立部材１８の屋内側見付け面１８ｃに沿って延びる屈曲形状を形成してもよい。即ち、方立補強材２３は方立５Ａの断面四角形筒状の内部に係止されて方立５Ａの強度を補強するものであればよい。
なお、中間の方立５Ａにおいて、方立補強材２３は必ずしも設けなくてもよく、この場合、第一呑込み部１８ａと第二呑込み部１９ａの底部同士を連結ねじ２４によって直接固定する。
【００２２】
次に、図３から図７により、中間の方立５Ａと支柱１７とを連結する支持機構２１について説明する。
支柱１７の方立５Ａに対向する上下方向の支持面１７ａには、図５に示すように、適宜の高さ位置に受け部２６が取り付けられている。受け部２６は上下方向に延びる例えば板状であり、その長手方向の上下端部と中間部とが支持面１７ａに当接して固定ねじ２７で固定されている。受け部２６は各固定ねじ２７間の中間部が外側に湾曲していて、支持面１７ａとの間に隙間を形成する第一受け部２６ａと第二受け部２６ｂを構成する。
【００２３】
一方、図６から図８に示すように、中間の方立５Ａにおける第一及び第二見込み面１８ｂ、１９ｂには、連結部材として断面略Ｌ字状の第一連結板２８と第二連結板２９が固定ねじ２７で連結されている。第一連結板２８は方立５Ａの第一見込み面１８ｂに固定ねじ２７で固定される固定部２８ａと、受け部２６の一方、例えば第一受け部２６ａの隙間に挿入されて係止される係止片２８ｂとで形成されている。しかも、固定部２８ａは受け部２６と同等の長さを有するが、係止片２８ｂは第一受け部２６ａに挿入可能なように固定部２８ａの半分以下の幅に設定されている。
同様に、第二連結板２９は方立５Ａの第二見込み面１９ｂに固定ねじ２７で固定される固定部２９ａと、受け部２６の他方、例えば第二受け部２６ｂの隙間に挿入されて係止される係止片２９ｂとで形成されている。
【００２４】
しかも、図８に示すように、第一連結板２８及び第二連結板２９の係止片２８ｂ、２９ｂには第一受け部２６ａ、第二受け部２６ｂに挿入する方向に線状の突条２８ｃ、２９ｃがそれぞれ形成されている。各係止片２８ｂ、２９ｂを第一受け部２６ａ、第二受け部２６ｂにそれぞれ挿入した際、各突条２８ｃ、２９ｃが第一受け部２６ａ、第二受け部２６ｂに係止することになる。
このように、中間の方立５Ａの強度が不足していたとしても、第一及び第二連結板２８，２９と受け部２６を介して支柱１７に連結することで方立５Ａの強度を補足できる。しかも、地震等が発生した際、支持機構２１の受け部２６と第一及び第二連結板２８，２９との間で相対的に微振動が生じたとしても第一受け部２６ａ、第二受け部２６ｂと各係止片２８ｂ、２９ｂの突条２８ｃ、２９ｃとが係止状態にあるため、微細な振動でカタカタと異音がすることを防止できる。
【００２５】
本実施形態による中間の方立５Ａの支持構造は上述した構成を備えており、次に支持機構２１の取り付け方法について図４から図７を中心に説明する。
例えば既設の建物における出入り口の前面にフロントサッシ１を施工する場合、比較的強度の低い中間の方立５Ａを既設の躯体である支柱１７に連結することで方立５Ａの強度を補強する。そのため、まず、既設の支柱１７に対して中間の方立５Ａを仮置きして中間の方立５Ａの位置を決める。そして、図５に示すように、中間の方立５Ａの中心に対向する支柱１７の支持面１７ａに受け部２６を固定ねじ２７によって適宜の高さ位置に取り付ける。受け部２６は第一受け部２６ａと第二受け部２６ｂが上下方向に位置するように取り付ける。
【００２６】
次に図６に示すように、一方、例えば第一連結板２８の係止片２８ｂを支柱１７に設けた受け部２６の第一受け部２６ａに挿入して係止させる。この状態で、中間の方立５Ａを位置決めして第一連結板２８の固定部２８ａを第一見込み面１８ｂに固定ねじ２７で固定する。固定に際して、方立５Ａの第一見込み面１８ｂの任意の位置にビス穴を開けて固定ねじ２７をねじ込む。
次に、図７に示すように、第二連結板２９の係止片２９ｂを受け部２６の第二受け部２６ｂに挿入して係止させる。この状態で方立５Ａの第二見込み面１９ｂの任意の位置にビス穴を開けて固定部２９ａを固定ねじ２７で固定する。
【００２７】
こうして、図４に示すように中間の方立５Ａは支持機構２１によって支柱１７に連結支持されることになる。しかも、支柱１７の支持面１７ａへの受け部２６の上下方向の固定位置や、第一及び第二受け部２６ａ，２６ｂへの第一及び第二連結板２８，２９の係止片２８ｂ、２９ｂの左右方向の挿入長さ、そして支柱１７と第一及び第二連結板２８，２９との前後方向の距離を任意に設定して支持機構２１の取り付け位置を調整できる。
【００２８】
上述のように、本実施形態による中間の方立５Ａの支持機構２１によれば、支柱１７等の躯体の施工誤差があっても、受け部２６の取り付け高さと第一及び第二連結板２８，２９の挿入高さを調整することで上下方向の固定位置を調整できると共に、第一及び第二連結板２８，２９の受け部２６の第一受け部２６ａと第二受け部２６ｂへの挿入長さを調整することで方立５Ａの左右方向の固定位置を調整できる。更に支柱１７と方立５Ａに固定する第一及び第二連結板２８，２９との前後方向の距離を調整できる。
これによって、中間の方立５Ａと躯体の支柱１７とを支持機構２１によって上下左右及び前後方向に調整して連結するため、方立５Ａの保持強度と耐風圧を向上できると共に方立５Ａを自由な位置に設置できる。
【００２９】
また、受け部２６に対して左右両側で上下方向に分離して第一連結板２８と第二連結板２９を設け、両側から係止片２８ｂ、２９ｂを第一受け部２６ａと第二受け部２６ｂにそれぞれ挿入して係止するため方立５Ａを支柱１７へ強固に連結できる上に、地震等が生じたとしても支柱１７に対して中間の方立５Ａが捩じれたりすることを防止できる。
更に、第一及び第二連結板２８，２９の係止片２８ｂ、２９ｂにそれぞれ突条２８ｃ、２９ｃを設けて第一受け部２６ａ、第二受け部２６ｂに線接触させるようにしたため、突条２８ｃ、２９ｃを設けない場合よりも保持強度が高く、地震等の際に微振動で接離してカタカタと異音がすることを防止できる。
【００３０】
なお、本発明による中間の方立５Ａの支持機構２１は、上述した実施形態に限定されるものではなく、本発明の要旨を逸脱しない範囲で適宜の変更や置換等が可能である。以下に、本発明の変形例について説明するが、上述した第一実施形態と同一または同様な部材、部品等には同一の符号を用いて説明を省略する。
例えば、図９に示す方立５Ａの支持機構２１の第一変形例では、受け部２６を分割して第一受け部２６ａと第二受け部２６ｂを個別に支柱１７の支持面１７ａに固定したものである。この場合、第一連結板２８と第二連結板２９を個別に異なる高さ位置で方立５Ａの第一見込み面１８ｂと第二見込み面１９ｂとにそれぞれ連結することができる。
なお、上述した実施形態における受け部２６は第一受け部２６ａと第二受け部２６ｂの間に仕切りを形成して固定ねじ２７で固定したが、仕切りを設けずに１つの隙間を有する受け部２６内に第一及び第二連結板２８，２９の係止片２８ｂ、２９ｂを互い違いに挿入する構成にしてもよい。
また、第一及び第二連結板２８，２９の係止片２８ｂ、２９ｂに関し、上述した実施形態の構成に代えて、第一連結板２８の係止板２８ｂを第二受け部２６ｂに挿入し、第二連結板２９の係止板２９ｂを第一受け部２６ａに挿入するように形成してもよい。
【００３１】
また、図１０に示す第二変形例による支持機構２１では、受け部２６を第一受け部２６ａと第二受け部２６ｂの一方、例えば第一受け部２６ａのみを支柱１７の支持面１７ａに取り付け、連結部材も第一連結板２８と第二連結板２９の一方、例えば第一連結板２８のみを設置している。この場合、第一連結板２８の長さを上述した実施形態のものより長く形成して、地震等が生じてもより外れにくくしてもよい。
この第二変形例の場合、上述した実施形態による支持機構２１と比較して、支柱１７への固定強度は劣るが、この構成によっても中間の方立５Ａを支柱１７に連結でき、構成がより簡単になる。
【００３２】
また、上述した実施形態や各変形例において、第一及び第二連結板２８，２９の係止片２８ｂ、２９ｂを挿入する第一受け部２６ａ、第二受け部２６ｂの支持面１７ａとの間の隙間の高さ方向の幅は係止片２８ｂ、２９ｂの高さ方向の幅よりも大きく設定してもよい。これによって、第一及び第二連結板２８，２９の上下方向の挿入高さを調整できるため、第一及び第二受け部２６ａ、２６ｂに対する第一及び第二連結板２８，２９の挿入及び係止高さを調整できる。
【００３３】
また、上述した実施形態や各変形例では、連結部材として第一及び第二連結板２８，２９に設けた係止片２８ｂ、２９ｂに突条２８ｃ、２９ｃを設けたが、突条２８ｃ、２９ｃは必ずしも設けなくてもよい。この場合、係止片２８ｂ、２９ｂが受け部２６の第一受け部２６ａ、第二受け部２６ｂにそれぞれ挿入されて各第一受け部２６ａ、第二受け部２６ｂの裏面と支持面１７ａとに面接触することになる。このような構成であっても中間の方立５Ａを支柱１７に固定できる。
【００３４】
或いは、第一及び第二連結板２８，２９において、係止片２８ｂ、２９ｂに設けた直線状の突条２８ｃ、２９ｃに代えてドット状または任意形状の突起を１または複数設けてもよい。この場合でも係止片２８ｂ、２９ｂを第一及び第二受け部２６ａ、２６ｂに挿入して各突起を各受け部２６ａ、２６ｂの裏面に係止させることができて保持強度が高い。これら突条２８ｃ、２９ｃと突起は突部を構成する。
【００３５】
また、上述した実施形態や各変形例では、躯体として支柱１７に中間の方立５Ａを取り付ける支持機構２１を説明したが、支柱１７に代えて壁面や床面等の躯体に方立５Ａを取り付けるようにしてもよい。壁面を用いる場合、壁面に受け部２６を固定ねじ２７等で取り付ければよい。また、床面を用いる場合には、例えば２階以上の床面における垂直面端部に受け部２６を取り付け、この受け部２６に方立５に設けた第一及び第二連結板２８，２９を挿入させればよい。
【００３６】
要するに、本発明は、既設の躯体に方立のようなサッシ等の後付部材を支持機構２１を介して連結することで、後付部材の強度を補強して支持できるものであれば適用できる。また、第一連結板２８は第一連結部材、第二連結板２９は第二連結部材を構成し、係止片２８ｂ、２９ｂは係止部を構成する。
なお、上述した実施形態や変形例ではフィックス窓７（７Ａ，７Ｂ、７Ｃ）に設けた中間の方立５Ａについて説明したが、本発明はフィックス窓７に代えて排煙窓やその他の窓など、適宜の窓やパネル６等に設置した方立に適用できる。
【符号の説明】
【００３７】
１  フロントサッシ
５、５Ａ、５Ｂ  方立  
６  パネル
７、７Ａ，７Ｂ、７Ｃ  フィックス窓
１７  支柱
２１  支持機構
２６  受け部
２６ａ  第一受け部
２６ｂ  第二受け部
２８  第一連結板
２８ａ，２９ａ  固定部
２８ｂ、２９ｂ  係止片
２８ｃ、２９ｃ  突条
２９  第二連結板
【図１】
0006411861.tif 000002
【図２】
0006411861.tif 000003
【図３】
0006411861.tif 000004
【図４】
0006411861.tif 000005
【図５】
0006411861.tif 000006
【図６】
0006411861.tif 000007
【図７】
0006411861.tif 000008
【図８】
0006411861.tif 000009
【図９】
0006411861.tif 000010
【図１０】
0006411861.tif 000011